(57)【要約】【課題】リモコン装置から送信された無線信号の検知範囲として理想的な検知範囲を有する照明器具及び照明システムを提供すること。【解決手段】照明器具は、内部空間内にランプが装備され、建築構造物の天井に埋め込んで設置されるハウジングと、ハウジングの内部に設けられ、ハウジングの外部からの無線信号を検知するセンサと、無線信号の進入孔を有し、進入孔がセンサの検知部に近接するようハウジングに取り付けられる枠部とを備える。進入孔の内縁部はテーパ面を有し、ハウジングの内部空間とは逆側に屈曲又は湾曲する。【選択図】図１
2009004330.tif 000002
【特許請求の範囲】
【請求項１】
内部空間内にランプが装備され、建築構造物の天井に埋め込んで設置されるハウジングと、
前記ハウジングの内部に設けられ、前記ハウジングの外部からの無線信号を検知するセンサと、
前記無線信号の進入孔を有し、前記進入孔が前記センサの検知部に近接するよう前記ハウジングに取り付けられる枠部と、を備え、
前記進入孔の内縁部がテーパ面を有することを特徴とする照明器具。
【請求項２】
請求項１に記載の照明器具であって、
前記枠部を前記ハウジングに取り付けた状態で、前記進入孔は、前記ハウジングの前記内部空間とは逆側に拡開した形状であることを特徴とする照明器具。
【請求項３】
請求項２に記載の照明器具であって、
前記進入孔の前記内縁部は、前記ハウジングの前記内部空間とは逆側に屈曲又は湾曲したことを特徴とする照明器具。
【請求項４】
請求項１に記載の照明器具であって、
前記枠部を前記ハウジングに取り付けた状態で、前記進入孔は、前記ハウジングの前記内部空間側に拡開した形状であることを特徴とする照明器具。
【請求項５】
請求項４に記載の照明器具であって、
前記進入孔の前記内縁部は、前記ハウジングの前記内部空間側に屈曲又は湾曲したことを特徴とする照明器具。
【請求項６】
内部空間内にランプが装備され、建築構造物の天井に埋め込んで設置されるハウジングと、
前記ハウジングの内部に設けられ、前記ハウジングの外部からの光信号を検知するセンサと、
前記光信号を透過する凹レンズを有し、前記凹レンズが前記センサの受光部に近接するよう前記ハウジングに取り付けられる枠部と、
を備えたことを特徴とする照明器具。
【請求項７】
天井に設置された複数の照明器具の内、隣り合う２つの照明器具の少なくとも一つが、請求項１〜６のいずれか一項に記載の照明器具であることを特徴とする照明システム。
【発明の詳細な説明】
【技術分野】
【０００１】
本発明は、リモコン装置から送信された無線信号に応じて照明の点灯状態や各種設定を切り替える照明器具及び照明システムに関する。
【背景技術】
【０００２】
家屋やビル等の建築物の天井には、地震や火災等による停電時に点灯する非常灯が設置されている。非常灯は、停電時の電源としてバッテリを有するが、バッテリが経時変化等により劣化すると、非常灯が法律等で規定された性能で動作しない可能性がある。このため、非常灯は定期的に点検される。
【０００３】
また、非常灯は、赤外線信号を受信するセンサを備える。非常灯は、リモコン装置から発信されセンサが受信した赤外線信号に応じて、点灯状態や各種設定を切り替える。このため、非常灯を点検する者は、リモコン装置を用いて非常灯の点検を行うことができる。
【０００４】
図７は、非常灯の分解斜視図（ａ）及び（ｂ）並びに斜視図（ｃ）である。図７に示すように、非常灯は、バッテリ１１、センサ１３及び図示しない制御部を収納するためのハウジング１５と、ハウジング１５に取り付けられる枠部１７とを備える。枠部１７には、外部から発信された赤外線信号の進入孔１９が設けられている。枠部１７は、この進入孔１９がハウジング１５内に収納されたセンサ１３の受光部に近接するよう、ハウジング１５に取り付けられる。なお、ランプ２１はバッテリ１１に取り付けられる。
【０００５】
図８は、図７に示した非常灯のセンサ１３の理想的な受光範囲（ａ）及び実際の受光範囲（ｂ）を示す図である。図８（ａ）に示すように、枠部１７によって制限されたセンサ１３の理想的な受光範囲３１は、枠部１７によって制限されてない場合のセンサ１３の受光範囲３３よりも狭い。しかし、図８（ｂ）に示すように、枠部１７によって制限されたセンサ１３の実際の受光範囲３５は、理想的な受光範囲３１よりも広い。これは、進入孔１９の端面で反射した赤外線信号をセンサ１３が検知することが原因と考えられる。
【０００６】
【特許文献１】特開２０００−１６４３６８号公報
【発明の開示】
【発明が解決しようとする課題】
【０００７】
上記説明した非常灯は、ハウジング１５を天井に埋め込むように設置される。但し、非常灯の設置間隔は法律等で規定されている。このため、天井には数メートルおきに非常灯が設置される。上述したように、非常灯の実際の受光範囲は、理想的な受光範囲よりも広い。その結果、図９に示すように、非常灯に向けたリモコン装置の角度によっては、リモコン装置から発信された赤外線信号に対して複数の非常灯が反応してしまう。なお、この問題は非常灯に限らず、近接して天井に配置されたダウンライトにも同様に生ずる。
【０００８】
特許文献１に開示の照明装置は、複数の照明装置が近接して天井などに設置された状態で、ワイヤレス信号による指示で所望の照明装置のみ点灯・消灯させるために、ワイヤレス信号を受信する受信部に加えて、人感センサを備える。当該照明装置によれば、人感センサにより人が検出されている期間に受信部がワイヤレス信号を受信した照明装置のみ点灯・消灯等の操作が行われる。
【０００９】
特許文献１の照明装置であれば、複数の照明装置が近接して設置されていてもユーザは所望の照明装置のみを操作することができる。しかし、各照明装置が人感センサを備える必要があるため、構成が複雑となり装置のコスト高にもつながる。このため、特別な構成要素を設けなくても、簡単な構成で同様の効果、すなわち複数の照明装置が近接して設置されていても所望の照明装置のみ操作可能といった効果を奏することのできる照明装置が望まれていた。
【００１０】
本発明の目的は、リモコン装置から送信された無線信号の検知範囲として理想的な検知範囲を有する照明器具及び照明システムを提供することである。
【課題を解決するための手段】
【００１１】
本発明は、内部空間内にランプが装備され、建築構造物の天井に埋め込んで設置されるハウジングと、前記ハウジングの内部に設けられ、前記ハウジングの外部からの無線信号を検知するセンサと、前記無線信号の進入孔を有し、前記進入孔が前記センサの検知部に近接するよう前記ハウジングに取り付けられる枠部と、を備え、前記進入孔の内縁部がテーパ面を有する照明器具を提供する。
【００１２】
上記照明器具では、前記枠部を前記ハウジングに取り付けた状態で、前記進入孔は、前記ハウジングの前記内部空間とは逆側に拡開した形状である。
【００１３】
上記照明器具では、前記進入孔の前記内縁部は、前記ハウジングの前記内部空間とは逆側に屈曲又は湾曲している。
【００１４】
上記照明器具では、前記枠部を前記ハウジングに取り付けた状態で、前記進入孔は、前記ハウジングの前記内部空間側に拡開した形状である。
【００１５】
上記照明器具では、前記進入孔の前記内縁部は、前記ハウジングの前記内部空間側に屈曲又は湾曲している。
【００１６】
本発明は、内部空間内にランプが装備され、建築構造物の天井に埋め込んで設置されるハウジングと、前記ハウジングの内部に設けられ、前記ハウジングの外部からの光信号を検知するセンサと、前記光信号を透過する凹レンズを有し、前記凹レンズが前記センサの受光部に近接するよう前記ハウジングに取り付けられる枠部と、を備えた照明器具を提供する。
【００１７】
本発明は、天井に設置された複数の照明器具の内、隣り合う２つの照明器具の少なくとも一つが、上記照明器具である照明システムを提供する。
【発明の効果】
【００１８】
本発明に係る照明器具及び照明システムは、リモコン装置から送信された無線信号の検知範囲として理想的な検知範囲を有するため、照明器具を点検する者は、特定の照明器具に対してのみ点検することができる。本発明に係る照明器具は、簡単な構成で当該効果を奏することができる。
【発明を実施するための最良の形態】
【００１９】
以下、本発明の実施形態について、図面を参照して説明する。なお、以下説明する実施形態の照明器具を、家屋やビル等の建築物の天井に設置される非常灯を例に説明する。当該非常灯は、図７に示した従来の非常灯と同様に、バッテリ、センサ及び制御部を収納するためのハウジングと、ハウジングに取り付けられる枠部とを備える。以下説明する実施形態の非常灯が従来の非常灯と異なる点は、枠部である。
【００２０】
（第１の実施形態）
第１の実施形態の非常灯が備える枠部には、リモコン装置から発信された赤外線信号の進入孔が設けられている。図７に示した従来の非常灯と同様に、当該枠部はこの進入孔がハウジング内に収納されたセンサの受光部に近接するよう、ハウジングに取り付けられる。図１に、第１の実施形態の枠部１０１がハウジング１５に装着されたときのセンサ１３の受光部１３１と進入孔１０２との位置関係を示す。図１は、第１の実施形態の非常灯の一部断面及び外部から発信された赤外線信号の経路を示す図である。
【００２１】
図１に示すように、第１の実施形態では、進入孔１０２を形成する枠部１０１の内縁部が、センサ１３の受光部１３１に向かう方向に３０〜４５度の角度で屈曲している。なお、当該内縁部は湾曲していても良い。このような構成によれば、進入孔１０２に対して鋭角に進入した赤外線信号は、屈曲部（テーパ面）での反射等によって、センサ１３の受光部１３１に到達しない方向に向きが変えられる。一方、進入孔１０２に対して鈍角に進入した赤外線信号に関しては、進入孔１０２の屈曲部に近い位置から進入した赤外線信号は、屈曲部で反射してセンサ１３の受光部１３１に到達しないが、進入孔１０２の中心に近い位置から進入した赤外線信号は、受光部１３１で受光される。したがって、第１の実施形態の非常灯の受光範囲は、図８（ｂ）に示した枠部の内縁部が屈曲又は湾曲していない構成の非常灯の受光範囲よりも狭い。
【００２２】
図３は、第１の実施形態の非常灯を天井に複数設置した図を示す。図７に示すように、第１の実施形態の非常灯の受光範囲は狭いため、リモコン装置５０から発信された赤外線信号が進入孔に対して鈍角に進入する非常灯１００ａは当該赤外線信号を受光するが、赤外線信号が進入孔に対して鋭角に進入する非常灯１００ｂは当該赤外線信号を受光しない。すなわち、天井に設置された第１の実施形態の非常灯は、略真下から発信された赤外線信号のみを受光する。このため、非常灯を点検する者は、特定の非常灯に対してのみ点検することができる。
【００２３】
また、第１の実施形態の非常灯は、図７に示した従来の非常灯と比較して、進入孔１０２を形成する枠部１０１の内縁部が屈曲又は湾曲している点だけが異なるため、特別な構成要素を追加することなく簡単な構成で上記効果を奏することができる。
【００２４】
なお、図２に示すように、進入孔１０２の内縁部を屈曲又は湾曲した形態に限らず、進入孔１５２の端部がテーパ面を形成し、進入孔１５２がセンサ１３の受光部１３１とは逆側に拡開した形態であっても良い。
【００２５】
（第２の実施形態）
第２の実施形態の非常灯が備える枠部には、リモコン装置から発信された赤外線信号の進入孔が設けられている。図７に示した従来の非常灯と同様に、当該枠部はこの進入孔がハウジング内に収納されたセンサの受光部に近接するよう、ハウジングに取り付けられる。図４に、第２の実施形態の枠部２０１がハウジング１５に装着されたときのセンサ１３の受光部１３１と進入孔２０２との位置関係を示す。図４は、第２の実施形態の非常灯の一部断面及び外部から発信された赤外線信号の経路を示す図である。
【００２６】
図４に示すように、第２の実施形態では、進入孔２０２を形成する枠部２０１の内縁部が、センサ１３の受光部１３１に向かう方向とは反対の方向に３０〜４５度の角度で屈曲している。なお、当該内縁部は湾曲していても良い。このような構成によれば、進入孔２０２に対して鋭角に進入した赤外線信号は、屈曲部（テーパ面）での反射等によって、センサ１３の受光部１３１に到達しない方向に向きが変えられる。一方、進入孔２０２に対して鈍角に進入した赤外線信号に関しては、進入孔２０２の屈曲部に近い位置から進入した赤外線信号は、屈曲部で反射してセンサ１３の受光部１３１に到達しないが、進入孔２０２の中心に近い位置から進入した赤外線信号は、受光部１３１で受光される。したがって、第２の実施形態の非常灯の受光範囲は、図８（ｂ）に示した枠部の内縁部が屈曲又は湾曲していない構成の非常灯の受光範囲よりも狭い。
【００２７】
第２の実施形態の非常灯を天井に複数設置した場合も、第１の実施形態の場合と同様に、リモコン装置から発信された赤外線信号が進入孔に対して鈍角に進入する非常灯は当該赤外線信号を受光するが、赤外線信号が進入孔に対して鋭角に進入する非常灯は当該赤外線信号を受光しない。すなわち、天井に設置された第２の実施形態の非常灯も、略真下から発信された赤外線信号のみを受光する。このため、非常灯を点検する者は、特定の非常灯に対してのみ点検することができる。
【００２８】
また、第２の実施形態の非常灯は、図７に示した従来の非常灯と比較して、進入孔２０２を形成する枠部２０１の内縁部が屈曲又は湾曲している点だけが異なるため、特別な構成要素を追加することなく簡単な構成で上記効果を奏することができる。さらに、第２の実施形態では屈曲部が外部空間側に突出しているため、ユーザは、当該構成を有する非常灯であることを識別しやすい。
【００２９】
なお、図５に示すように、進入孔２０２の内縁部を屈曲又は湾曲した形態に限らず、進入孔２５２の端部がテーパ面を形成し、進入孔２５２がセンサ１３の受光部１３１側に拡開した形態であっても良い。
【００３０】
（第３の実施形態）
第３の実施形態の非常灯が備える枠部には、リモコン装置から発信された赤外線信号を透過する凹レンズが設けられている。当該枠部はこの凹レンズがハウジング内に収納されたセンサの受光部に近接するよう、ハウジングに取り付けられる。図６に、第３の実施形態の枠部３０１がハウジング１５に装着されたときのセンサ１３の受光部１３１と凹レンズ３０１との位置関係を示す。図６は、第３の実施形態の非常灯の一部断面及び外部から発信された赤外線信号の経路を示す図である。
【００３１】
図６に示すように、凹レンズ３０１に対して鋭角に入射した赤外線信号は、入射角よりも小さな出射角で凹レンズ３０１を透過するため、センサ１３の受光部１３１に到達しない。一方、凹レンズ３０１に対して鈍角に進入した赤外線信号は、同様に入射角よりも小さな出射角で凹レンズ３０１を透過するが、凹レンズ３０１の中心付近に鈍角に進入した赤外線信号であれば、受光部１３１で受光される。したがって、第３の実施形態の非常灯の受光範囲は、図８（ｂ）に示した非常灯の受光範囲よりも狭い。
【００３２】
第３の実施形態の非常灯を天井に複数設置した場合も、第１の実施形態の場合と同様に、リモコン装置から発信された赤外線信号が進入孔に対して鈍角に進入する非常灯は当該赤外線信号を受光するが、赤外線信号が進入孔に対して鋭角に進入する非常灯は当該赤外線信号を受光しない。すなわち、天井に設置された第３の実施形態の非常灯も、略真下から発信された赤外線信号のみを受光する。このため、非常灯を点検する者は、特定の非常灯に対してのみ点検することができる。
【００３３】
また、第３の実施形態の非常灯は、図７に示した従来の非常灯と比較して、図７に示した従来の非常灯の枠部１７が有する進入孔１９に凹レンズ３０１をはめ込んだ点だけが異なるため、簡単な構成で上記効果を奏することができる。
【００３４】
以上説明した実施形態では、本発明の照明器具として非常灯を例に説明したが、ダウンライトであっても良い。
【産業上の利用可能性】
【００３５】
本発明に係る照明器具は、リモコン装置から送信された無線信号に応じて照明の点灯状態や各種設定を切り替えることのできる、非常灯やダウンライトといった照明器具等として有用である。
【図面の簡単な説明】
【００３６】
【図１】第１の実施形態の非常灯の一部断面及び外部から発信された赤外線信号の経路を示す図
【図２】他の実施形態の非常灯の一部断面及び外部から発信された赤外線信号の経路を示す図
【図３】第１の実施形態の非常灯を天井に複数設置した図
【図４】第２の実施形態の非常灯の一部断面及び外部から発信された赤外線信号の経路を示す図
【図５】他の実施形態の非常灯の一部断面及び外部から発信された赤外線信号の経路を示す図
【図６】第３の実施形態の非常灯の一部断面及び外部から発信された赤外線信号の経路を示す図
【図７】非常灯の分解斜視図（ａ）及び（ｂ）並びに斜視図（ｃ）
【図８】従来の非常灯のセンサの理想的な受光範囲（ａ）及び実際の受光範囲（ｂ）を示す図
【図９】従来の非常灯を天井に複数設置した図
【符号の説明】
【００３７】
１１  バッテリ
１３  センサ
１３１  受光部
１５  ハウジング
２１  ランプ
１０１，２０１，３０１  枠部
１０２，１５２，２０２，２５２  進入孔
３０１  凹レンズ
【図１】
2009004330.tif 000003
【図２】
2009004330.tif 000004
【図３】
2009004330.tif 000005
【図４】
2009004330.tif 000006
【図５】
2009004330.tif 000007
【図６】
2009004330.tif 000008
【図７】
2009004330.tif 000009
【図８】
2009004330.tif 000010
【図９】
2009004330.tif 000011